(57)【要約】  【課題】亜鉛を用いた放電ランプの動作温度を低下させる。  【解決手段】放電ランプ１は、気密容器11と、この気密容器11を覆う保温手段12を備える。気密容器11の放電空間18に、放電媒体として、適量の沃化亜鉛(Ｚｎｌ２)と希ガスを封入する。希ガスは、ネオンとアルゴンとを混合し、ペニング効果を発生するガスとする。外管22の内面に、３波長発光形の蛍光体層20を設ける。冷陰極の電極である放電生起手段14，14間に高電圧を印加することにより、約３００℃で沃化亜鉛が放電し、紫外線を放射できる。ハロゲン化物であるハロゲン化亜鉛を用いることにより、蒸気圧が上昇し、単体の金属亜鉛を用いる場合に比べて動作温度の低下が可能になる。気密容器11の材質の自由度が向上し、製造コストの低減が容易になる。放電媒体として水銀を用いる必要がなく、環境への影響の少ない放電ランプを提供できる。  【選択図】図１
2006092954.tif 000002
【特許請求の範囲】
【請求項１】
透光性を有する気密容器と；
気密容器内に封入されたハロゲン化亜鉛及び希ガスを主体とし水銀を含まない放電媒体と；
気密容器内に封装された放電を生起させる放電生起手段と；
を具備していることを特徴とする放電ランプ。
【請求項２】
気密容器を保温する保温手段を備えた
ことを特徴とする請求項１記載の放電ランプ。
【請求項３】
ハロゲン化亜鉛は、沃化亜鉛及び臭化亜鉛の少なくとも一方を主体とする
ことを特徴とする請求項１または２記載の放電ランプ。
【請求項４】
希ガスは、ヘリウム及びネオンの少なくとも一からなる第１の希ガスと、アルゴン、クリプトン、キセノンの少なくとも一からなる第２の希ガスとの混合体である
ことを特徴とする請求項１ないし３いずれか一記載の放電ランプ。
【請求項５】
請求項１ないし４いずれか一記載の放電ランプと；
放電ランプの放電生起手段に電力を供給する点灯装置と；
を具備していることを特徴とする照明装置。
【発明の詳細な説明】
【技術分野】
【０００１】
本発明は、亜鉛を主体とした放電媒体を用いる放電ランプ及び照明装置に関する。
【背景技術】
【０００２】
従来、放電媒体として、水銀を用いず、亜鉛を用いた放電ランプが提案されている。この放電ランプは、放電媒体として、亜鉛及び希ガスを用い、蒸発した亜鉛の主として２１４nm及び３０８nmの紫外線により蛍光体を励起している(例えば、特許文献１参照。)。
【特許文献１】特開２００３−１４２０２９号公報
【発明の開示】
【発明が解決しようとする課題】
【０００３】
しかしながら、放電媒体として用いる場合には、亜鉛は蒸気圧が低く、共鳴線である３０８nmの紫外線の放射を十分に得るためには、気密容器の最冷部温度を少なくとも３００℃、好適には約５００℃とする必要があり、気密容器の材質が制限される問題を有している。例えば、４００℃を超える温度では、気密容器の材質として、軟化点の低いガラスを用いることができず、石英ガラスや一部の硬質ガラス、もしくは透光性のセラミックに限定され、気密容器の製造コストが上昇する。また、外部加熱手段なしに最冷部温度を例えば４００℃を超えて加熱するためには、気密容器を小形化し、あるいは投入電力を高くするなどの方法が必要となるが、これらの方法は、放電ランプの発光効率を低下させる問題を有している。
【０００４】
本発明は、このような点に鑑みなされたもので、放電媒体として亜鉛を用いるとともに製造コストを低減できる放電ランプ及び照明装置を提供することを目的とする。
【課題を解決するための手段】
【０００５】
請求項１記載の放電ランプは、透光性を有する気密容器と；気密容器内に封入されたハロゲン化亜鉛及び希ガスを主体とし水銀を含まない放電媒体と；気密容器内に封装された放電を生起させる放電生起手段と；を具備しているものである。
【０００６】
気密容器は、内部に放電空間を形成し、可視光あるいは紫外線などを透過させる透光性を有するものであれば良く、軟質、半硬質、あるいは硬質などのガラスあるいは透光性セラミックなどを用い、直管形、曲管形、あるいは扁平などの形状に形成される。また、希ガスは、クリプトン、アルゴン、キセノン、ヘリウム、ネオンなどが用いられる。また、放電生起手段は、電力の供給を受けて電界または磁界を発生させることで放電を生起させるものであり、冷陰極、熱陰極などの電極手段や、誘電体バリア放電を生起させる外部電極手段、または、誘導電力によって放電を生起する誘導コイルなどからなる無電極手段などを用いることができる。また、冷陰極あるいは熱陰極などの電極は、ビード封止、フレア封止、ピンチ封止などの封止手段で気密容器に封止される。
【０００７】
そして、この構成では、放電生起手段に電力を供給することにより、気密容器内に封入されたハロゲン化亜鉛及び希ガスを主体とする放電媒体が放電する。ハロゲン化亜鉛を用いることにより、金属亜鉛を用いる場合より、蒸気圧が上昇し、動作温度の低下が可能になる。気密容器の材質の自由度が向上し、製造コストの低減が容易になる。放電媒体として水銀を用いる必要がなく、環境への影響の少ない放電ランプが提供される。
【０００８】
請求項２記載の放電ランプは、請求項１記載の放電ランプにおいて、気密容器を保温する保温手段を備えたものである。
【０００９】
そして、この構成では、気密容器の温度の確保が容易になり、亜鉛を用いた放電ランプの動作が容易になる。
【００１０】
請求項３記載の放電ランプは、請求項１または２記載の放電ランプにおいて、ハロゲン化亜鉛は、沃化亜鉛及び臭化亜鉛の少なくとも一方を主体とするものである。
【００１１】
そして、この構成では、沃化亜鉛及び臭化亜鉛の少なくとも一方を用いることにより、金属亜鉛を用いる場合より蒸気圧が上昇し、動作温度の低下が容易に実現される。
【００１２】
請求項４記載の放電ランプは、請求項１ないし３いずれか一記載の放電ランプにおいて、希ガスは、ヘリウム及びネオンの少なくとも一からなる第１の希ガスと、アルゴン、クリプトン、キセノンの少なくとも一からなる第２の希ガスとの混合体であるものである。
【００１３】
そして、この構成では、第１の希ガスと第２の希ガスとの間でペニング効果を生じさせ、亜鉛を用いた放電ランプの始動電圧を低下させることが可能になる。
【００１４】
請求項５記載の照明装置は、請求項１ないし４いずれか一記載の放電ランプと；放電ランプの放電生起手段に電力を供給する点灯装置と；を具備しているものである。
【００１５】
そして、この構成では、請求項１ないし４いずれか一記載の放電ランプを用いたため、金属亜鉛を用いる場合より動作温度を低下させ、製造コストの低減が容易になるとともに、水銀を用いずに、環境への影響の少ない放電ランプが提供される。
【発明の効果】
【００１６】
請求項１記載の放電ランプによれば、ハロゲン化亜鉛を用いることにより、金属亜鉛を用いる場合より、蒸気圧を上昇させ、動作温度を低下できる。そこで、気密容器の材質の自由度が向上し、製造コストを容易に低減できる。放電媒体として水銀を用いる必要がなく、環境への影響の少ない放電ランプを提供できる。
【００１７】
請求項２記載の放電ランプによれば、請求項１記載の効果に加え、気密容器の温度を容易に確保でき、亜鉛を用いた放電ランプを容易に動作させることができる。
【００１８】
請求項３記載の放電ランプによれば、請求項１または２記載の効果に加え、沃化亜鉛及び臭化亜鉛の少なくとも一方を用いることにより、金属亜鉛を用いる場合より蒸気圧を上昇させ、動作温度の低下を容易に実現できる。
【００１９】
請求項４記載の放電ランプによれば、請求項１ないし３いずれか一記載の効果に加え、希ガスは、ヘリウム及びネオンの少なくとも一からなる第１の希ガスと、アルゴン、クリプトン、キセノンの少なくとも一からなる第２の希ガスとの混合体としたため、第１の希ガスと第２の希ガスとの間でペニング効果を生じさせ、亜鉛を用いた放電ランプの始動電圧を低下させることができる。
【００２０】
請求項５記載の照明装置によれば、請求項１ないし４いずれか一記載の放電ランプを用いたため、金属亜鉛を用いる場合より動作温度を低下させ、製造コストを容易に低減できるとともに、水銀を用いずに、環境への影響の少ない放電ランプを提供できる。
【発明を実施するための最良の形態】
【００２１】
以下、本発明の放電ランプ及び照明装置の一実施の形態を図面を参照して説明する。
【００２２】
図１は、本発明の放電ランプの第１の実施の形態を示す一部の断面図である。
【００２３】
図１において、１は放電ランプで、この放電ランプ１は、冷陰極形の蛍光ランプであり、気密容器11、保温手段12、及び放電生起手段14を構成する一対の電極を備えている。そして、気密容器11は、発光管であり、透光性を有するホウケイ酸ガラスすなわち硬質ガラス製の直管形のガラス管16と、このガラス管16の両端を封止するビードガラスの封止部17，17とを備え、内部に気密な放電空間18が形成されている。また、このガラスは、アルカリ成分、特に、ナトリウムが少ないことが望ましい。なぜなら、気密容器11は、点灯動作中に３００℃以上の高温になる場合があり、ガラスに含まれるナトリウムが放電空間18に溶出し、放電を阻害するためである。そして、好適なナトリウム(Ｎａ２Ｏ)の含有量は、５％以下である。また、このガラスは、波長３０８nmにおける透過率が８０％以上であることが望ましい。このため、ガラスに含まれる二酸化鉄(Ｆｅ２Ｏ３)は２０ppm以下であることが望ましい。
【００２４】
なお、このガラス管16を構成するガラスは、ソーダライムガラスすなわちアルカリガラスなどの軟質ガラスで製造することもできる。
【００２５】
また、放電生起手段14は、冷陰極で、放電空間18の両端部近傍に位置して相対向し、それぞれ封止部17を気密に貫通するリード線19に支持されている。
【００２６】
そして、気密容器11の内部すなわち放電空間18には、放電媒体として、適量の沃化亜鉛(Ｚｎｌ２)と、希ガスが封入されている。すなわち、亜鉛は、金属単体ではなく、ハロゲン化物であるハロゲン化亜鉛とされ、例えば球状のペレットとして気密容器11内に入れられている。また、希ガスは、第１の希ガスとしてのネオン(Ｎｅ)が９７％、第２の希ガスとしてのアルゴン(Ａｒ)が３％で混合されたペニングガスであり、全圧７００Paで封入されている。
【００２７】
さらに、保温手段12は、アルカリガラス製の直管形のガラス管である外管22を備え、この外管22がガラス管16の略全長を同軸状に覆うとともに、この外管22の両端の封着部23，23がそれぞれ封止部17，17の外周部に気密に封着され、二重管が構成されている。そして、この外管22の内側、すなわち外管22とガラス管16との間の空間24は、１Pa以下の真空に維持されている。そして、この保温手段12がガラス管16を覆って保温するとともに、後述する蛍光体層20から放射される光は透過させ外部へ導出するようになっている。
【００２８】
また、外管22の内面には、蛍光体層20が設けられている。この蛍光体層20は、一般蛍光ランプとして利用可能な３波長発光形の蛍光体からなり、例えば、赤色発光蛍光体として、ＹＶＯ４：Ｅｕ、緑色発光蛍光体として、Ｙ２ＳｉＯ５：Ｃｅ、Ｔｂ、青色発光蛍光体として、ＢａＭｇＡｌ１０Ｏ１７：Ｅｕ、が用いられる。なお、蛍光体層20は、ガラス管16の内面あるいは外面に設けることもできる。
【００２９】
そして、図示しない点灯装置により放電生起手段14を構成する電極間に高電圧を印加することにより、放電を生じさせる。このとき、第１の希ガスとしてのネオンと第２の希ガスとしてのアルゴンとの間にペニング効果が生じ、始動電圧が低くなる。そして、単体の亜鉛に比べて蒸気圧の高い沃化亜鉛を用いているため、約３００℃で、蒸発した沃化亜鉛の放電により、波長２１４nm及び３０８nmの紫外線が放射される。そして、この紫外線は、直接あるいはガラス管16を透過して蛍光体を励起し、すなわち蛍光体層20で紫外線を白色の可視光に変換する。そして、この可視光が、ガラス管16及び外管22あるいは外管22のみを透過して、放電ランプ１の外部へ導出される。そして、蒸気圧が上昇し、動作温度の低下が可能になる。気密容器の材質の自由度が向上し、製造コストの低減が容易になる。放電媒体として水銀を用いる必要がなく、環境への影響の少ない放電ランプが提供される。
【００３０】
このように、本実施の形態によれば、放電媒体として、希ガスとともにハロゲン化亜鉛である沃化亜鉛を用いたため、単体の金属亜鉛を用いる場合に比べて、蒸気圧を上昇させ、動作温度すなわち管壁温度を低下させることができる。常温において亜鉛の蒸気圧は低く、例えば、単体の金属亜鉛を用いる場合に、気密容器11の温度が５００℃程度必要で、気密容器11に硬質ガラスなどの使用が必須となり、気密容器11の製造コストの低減が容易でない。これに対して、金属亜鉛よりも蒸気圧が高い沃化亜鉛を用いることにより、気密容器11の温度を約３００℃とすることができ、例えば気密容器11にソーダライムガラスすなわちアルカリガラスなどの軟質ガラスを用いることも可能になり、気密容器11の材質の自由度を向上できるとともに製造を容易にでき、製造コストを容易に低減できる。
【００３１】
なお、ハロゲン化亜鉛としては、沃化亜鉛(Ｚｎｌ２)に限られず、臭化亜鉛(ＺｎＢｒ２)を用いることもできる。
【００３２】
そして、放電媒体として水銀を用いる必要がないため、環境への影響の少ない放電ランプを提供できる。
【００３３】
また、希ガスとして、複数の希ガスを混合してペニング効果を生じさせるペニングガスを用い、特に、第１の希ガスとしてのネオンと第２の希ガスとしてのアルゴンとを混合したペニングガスを用いたため、これら第１の希ガスとしてのネオンと第２の希ガスとしてのアルゴンとの間にペニング効果を生じさせ、常温における亜鉛の蒸気圧が低いにもかかわらず、始動電圧を低下させ、始動性を向上することができる。すなわち、ネオンとアルゴンとを組み合わせたペニングガスは、ペニング効果が顕著に表れるため、始動電圧を低下させることができる。また、ネオン及びアルゴンは、他のガスに比べて比較的安価であり、製造コストを低減できる。
【００３４】
なお、このペニングガスは、第１の希ガスとしてのネオンを９７％、第２の希ガスとしてのアルゴンを３％で混合することにより、ペニング効果を顕著に生じさせることができるが、この構成に限られず、希ガスの封入圧力に占める第１の希ガスとしてのネオンを８０％以上１００％未満とし、他を第２の希ガスとしてのアルゴンとすることにより、ペニング効果を良好に生じさせることができる。さらに、第１の希ガスとしては、ヘリウム(Ｈｅ)及びネオン(Ｎｅ)の少なくとも一すなわち一方あるいは両方とし、第２の希ガスとしては、アルゴン(Ａｒ)、クリプトン(Ｋｒ)、キセノン(Ｘｅ)の少なくとも一すなわちいずれか一あるいは複数の混合体とし、希ガス封入圧力に占める第１の希ガスを８０％以上１００％未満とすることにより、ペニング効果を良好に生じさせることができる。
【００３５】
なお、亜鉛と希ガスとを主体とする放電媒体であって、例えば希ガスとしてクリプトンを用いることにより、始動性を向上することが考えられる。すなわち、クリプトン準安定励起準位のポテンシャルエネルギが９．９２eVであり、亜鉛イオンのポテンシャルエネルギが９．３９eVに程近いため、ペニング効果により始動電圧を低下させることが考えられる。しかしながら、ランプが冷えた状態では、亜鉛の蒸気圧が非常に低いため、ペニング効果は期待できない。すなわち、水銀と希ガスとしてのアルゴンを約０．３Pa封入した放電ランプでは、常温(２５℃)において水銀の飽和蒸気圧が約０．３mPaであり、アルゴンと水銀との比率は約１０００：１となるため、容易にペニング電離が生じ、始動特性を低下させることが可能である。一方、亜鉛の飽和蒸気圧は常温において、約３×１０−１４Paである。この場合、亜鉛の密度が小さく、希ガスであるクリプトンとの衝突確率が非常に小さいため、ペニング効果は期待できず、始動性の向上の効果は大きくない。
【００３６】
以下、図２ないし図５を参照して、本発明の他の実施の形態を説明する。なお、図１と同様の部分については、同一の符号を付して説明は省略する。
【００３７】
図２は、本発明の放電ランプの第２の実施の形態を示す断面図である。
【００３８】
この実施の形態の放電ランプ１は、上記の実施の形態に対し、気密容器11のガラス管16が合成石英ガラスで形成され、このガラス管16の両端部に、ピンチシールの封止部17，17が形成され、この封止部17，17内に封着金属箔31が埋設される点などが異なっている。そして、放電生起手段14を構成する冷陰極形の電極の軸部14aと、リード線19とが、この金属箔に溶接されて電気的に接続されている。また、蛍光体層20は、気密容器11のガラス管16の外面に形成されている。さらに、保温手段12の外管22は、両端部に設けられたビードガラスの封着部23，23がリード線19に支持されて、気密容器11を完全に包囲している。
【００３９】
図３は、本発明の放電ランプの第３の実施の形態を示す断面図である。
【００４０】
この実施の形態の放電ランプ１は、図２の実施の形態に対し、蛍光体層20が保温手段12の外管22の内面に形成されている点で異なる。また、この図３は、長手方向を軸方向として、図２を約９０度回転させた位置の断面図である。
【００４１】
図４は、本発明の放電ランプの第４の実施の形態を示す一部を拡大した断面図である。
【００４２】
この実施の形態の放電ランプ１は、放電生起手段として熱陰極形の電極14b，14bを備えている。そして、各電極14bは、例えば、タングステン線の２重コイルフィラメントに、金属ハロゲン化物との反応性の低い希土類金属酸化物を主体とする熱電子放射性物質を塗布して構成され、それぞれ両端部に一対のリード線19a，19bが接続して支持されている。なお、一般的な低圧水銀蒸気放電ランプの熱陰極に使用されているアルカリ土類金属の酸化物エミッタは、ハロゲン化亜鉛と反応しやすいため、ハロゲン化亜鉛を用いる本発明の熱陰極形の電極14bに用いるのは必ずしも好ましくない。そこで、ハロゲン化亜鉛と反応しにくいエミッタとして、酸化スカンジウム(Ｓｃ２Ｏ３)や、酸化イットリウム(Ｙ２Ｏ３)、酸化ジスプロシウム(Ｄｙ２Ｏ３)などが挙げられる。また、酸化スカンジウム(Ｓｃ２Ｏ３)あるいは酸化イットリウム(Ｙ２Ｏ３)、あるいは酸化ジスプロシウム(Ｄｙ２Ｏ３)あるいは酸化ガドリニウム(Ｇｄ２Ｏ３)あるいは酸化ホルミニウム(Ｈｏ２Ｏ３)あるいは酸化サマリウム(Ｓｍ２Ｏ３)あるいは酸化トリウム(ＴｈＯ２)などの希土類酸化物と、タングステン(Ｗ)あるいはモリブデン(Ｍｏ)あるいはクロム(Ｃｒ)あるいはタンタル(Ｔａ)あるいはニオブ(Ｎｂ)あるいはバナジウム(Ｖ)あるいはハフニウム(Ｈｆ)あるいはジルコニウム(Ｚｒ)あるいはチタン(Ｔｉ)などの遷移金属との焼結体からなるエミッタも好適である。
【００４３】
そして、気密容器11のガラス管16は、内径１０mm、外径１２mm、全長３００mmで、ガラス管16の両端部はビードガラスの封止部17，17で封止されている。さらに、保温手段12の外管22は、内径２３mm、外径２５mm、全長３５０mmで、両端に形成されたピンチシールの封着部23，23に、気密容器11の封止部17，17から導出されたリード線19a，19bが気密に支持されている。
【００４４】
なお、放電を生起する手段として、気密容器11内に電極を封装しない容量結合形あるいは誘電結合形のいわゆる無電極方式を実施形態として採用することも可能である。
【００４５】
図５は、本発明の照明装置の一実施の形態としての電球形蛍光ランプを示す一部を切り欠いた正面図である。
【００４６】
この実施の形態の放電ランプ１は、点灯装置としての点灯回路32、カバー33、口金34、グローブ35、及び仕切板36などを組み合わせ、照明装置としての電球形蛍光ランプ40が構成されている。
【００４７】
そして、この放電ランプ１は、上記の各実施の形態と同様の構成であるが、直管形ではなく、コンパクトな形状に屈曲されている。すなわち、放電ランプ１の気密容器11及び保温手段12は屈曲され、仕切板36から図において上方に突出した部分に、複数、本実施の形態では４本のＵ字状部42が同心状に配置されている。
【００４８】
また、点灯回路32は、ハーフブリッジ形インバータを主体とし、かつ、限流インダクタを備えた高周波点灯回路を構成し、放電ランプ１を付勢して点灯させるもので、高周波点灯回路の出力端が、放電生起手段14としての放電ランプ１の一対の電極に接続されている。また、点灯回路32は、配線基板44及びこの配線基板44に実装された複数の回路部品45からなり、カバー33内に収納されている。そして、回路部品45の内の主なものは、図において配線基板44の下面に実装されている。また、カバー33の内部の空間が逆切頭円錐状をなしているため、この形状に合わせて、回路部品45は、背の高いコンデンサなどの部品を頂点として輪郭が概ね逆円錐状となるように配置されている。
【００４９】
また、カバー33は、白色の遮光性を有する耐熱性合成樹脂をカップ状の筒体に成形して構成されている。すなわち、このカバー33は、基部33aが細く絞られ、先端が開口33bとされ、内部が回路部品45を収納する空洞となっている。
【００５０】
そして、口金34は、Ｅ２６形ねじ口金からなり、カバー33の基部33aにポンチによるかしめによって装着されている。そして、点灯回路32の入力端が、この口金34のセンターコンタクトと口金シェルとに接続されている。
【００５１】
また、グローブ35は、透明なガラスバルブの内面に光拡散性微粒子を塗布して乳白色の光拡散性を備え、いわゆるＡ形のガラス球形状をなしている。そして、このグローブ35の基端をカバー33の先端の開口33bに接続した状態で、これらグローブ35及びカバー33により外囲器47が構成され、グローブ35が放電ランプ１を包囲するようになっている。
【００５２】
また、仕切板36は、放電ランプ１及び配線基板44を支持するとともに、外囲器47の内部を発光室51と点灯回路収納室52とに区分している。また、この仕切板36は、放電ランプ１及び点灯回路32を支持するとともに、これら部材をグローブ35とともにカバー33に固定するもので、筒部36aと、この筒部36aの外周部から外側に突出した鍔部36bとを備えている。そして、筒部36aは、下面を開放し、上面を天板部36cで閉塞した円筒状をなし、さらに、この天板部36cには挿入孔36dが形成されている。そして、この挿入孔36dに、放電ランプ１の両端部及び中間屈曲部が挿入され、図示しないシリコーン接着剤により接着して、放電ランプ１が仕切板36に固定して支持される。また、仕切板36の筒部36aの下端の開口の内側に、点灯回路32を実装した配線基板44が挿入して支持されている。そして、鍔部36bがカバー33の開口33bの近傍の内面に当接するように、仕切板36をカバー33の内側に挿入し、さらに、上方からグローブ35の開口端をカバー33の開口33bに挿入した状態で、図示しないシリコーン接着剤によりこれら仕切板36とグローブ35とがカバー33に固着され、電球形蛍光ランプ40が構成されている。
【００５３】
なお、上記の各実施の形態では、ガラス管16を覆う透光性を有する外管22により保温手段を構成したが、この構成に限られず、ガラス管16すなわち放電空間18を３００℃などの所定の温度に維持できる構成であれば良い。またこのような所定の温度に維持できる場合は、保温手段を設けないこともできる。
【００５４】
また、蛍光体層20は、３波長発光形について説明したが、この構成に限られず、適宜の蛍光体を用いることができる。さらに、紫外線を照射するランプについては、蛍光体を設けないこともできる。
【産業上の利用可能性】
【００５５】
本発明は、一般照明用の蛍光ランプとして用いることができる。
【図面の簡単な説明】
【００５６】
【図１】本発明の放電ランプの第１の実施の形態を示す一部の断面図である。
【図２】本発明の放電ランプの第２の実施の形態を示す断面図である。
【図３】本発明の放電ランプの第３の実施の形態を示す断面図である。
【図４】本発明の放電ランプの第４の実施の形態を示す一部を拡大した断面図である。
【図５】本発明の照明装置の一実施の形態としての電球形蛍光ランプを示す一部を切り欠いた正面図である。
【符号の説明】
【００５７】
１    放電ランプ
11    気密容器
12    保温手段
14    放電生起手段
14b   放電生起手段としての電極
32    点灯装置としての点灯回路
40    照明装置としての電球形蛍光ランプ
【図１】
2006092954.tif 000003
【図２】
2006092954.tif 000004
【図３】
2006092954.tif 000005
【図４】
2006092954.tif 000006
【図５】
2006092954.tif 000007